(57)【要約】【課題】ネットワークに接続されている複数の装置が所持する画像群を用いたスライドショーを簡単に行うことができる画像表示システムを提供する。【解決手段】複数の再生機と、それらの再生機が所持する画像をスライドショーにて表示する表示機１０１とから構成されている画像表示システムにおいて、映像を切り替える時に伝送路を２本同時に割り当てる。そして、一方の画像が表示されている間に、他方の伝送路の切り替えを行って映像の切り替えをスムーズに行うことにより、好適なスライドショーを実現できるようにする。【選択図】図１
2010085748.tif 000002
【特許請求の範囲】
【請求項１】
複数の再生装置とネットワークを介して接続されており、前記複数の再生装置とともに画像表示システムを構成する画像表示装置であって、
前記複数の再生装置が保持する画像データの画像情報を取得する取得手段と、
前記取得手段によって取得された画像情報に基づいて画像を表示する順序を決定する決定手段と、
前記決定手段により決定された順序に基づき、前記複数の再生装置のうちのいずれかとの通信を行うためのチャネルを確保する確保手段と、
前記確保手段により確保されたチャネルを用いて、画像データを前記再生装置から受信する受信手段と、
前記受信手段によって受信された画像データに基づく画像を表示部に表示する表示手段とを有することを特徴とする画像表示装置。
【請求項２】
前記決定手段によって決定された順序に基づいて、次に再生すべき画像データを保持する再生装置に対して前記画像データを再生して前記画像表示装置に送信するように指示する指示手段をさらに有し、
前記指示手段による指示は、前記確保手段により確保されたチャネルを示す情報を含むことを特徴とする請求項１に記載の画像表示装置。
【請求項３】
前記受信手段によって受信された画像データをメモリに蓄積する蓄積手段をさらに有し、
前記表示手段は、前記蓄積手段により前記メモリに対する蓄積が停止されることによって、前記表示部に対する表示を一時停止し、
前記確保手段は、前記表示手段によって表示が一時停止された状態で、表示が一時停止された画像の次に表示されるべき画像データを保持する再生装置とのチャネルを確保することを特徴とする請求項１又は２に記載の画像表示装置。
【請求項４】
前記画像表示装置は、複数のチャネルを用いて前記複数の再生装置と通信が可能であって、
前記確保手段は、前記決定手段により決定された順序が連続する画像データのそれぞれを保持する再生装置との通信のため、前記複数のチャネルを確保することを特徴とする請求項１又は２に記載の画像表示装置。
【請求項５】
前記指示手段は、前記取得手段によって取得された画像情報に基づいて、前記再生装置において再生する画像データの特性を指示することを特徴とする請求項２に記載の画像表示装置。
【請求項６】
前記受信手段によって受信された複数の画像データの解像度を変換する解像度変換手段と、
前記解像度変換手段によって前記解像度が変換された複数の画像データを合成する合成手段とをさらに有し、
前記表示手段は、前記合成手段によって合成された画像を前記表示部に表示することを特徴とする請求項１〜５の何れか１項に記載の画像表示装置。
【請求項７】
前記指示手段は、前記表示部に表示する解像度よりも大きい規格の解像度のうち、最も小さい解像度に変更して再生するように指示することを特徴とする請求項２に記載の画像表示装置。
【請求項８】
前記表示手段は、前記取得手段によって取得された画像情報に基づいて、前記受信手段によって受信された画像データに基づく画像を回転させて前記表示部に表示することを特徴とする請求項１〜７の何れか１項に記載の画像表示装置。
【請求項９】
前記ネットワークが無線ネットワークであることを特徴とする請求項１〜８の何れか１項に記載の画像表示装置。
【請求項１０】
前記受信手段は、非圧縮ストリーム形式である画像データを受信することを特徴とする請求項１〜９の何れか１項に記載の画像表示装置。
【請求項１１】
請求項１〜１０の何れか１項に記載の画像表示装置と、前記複数の再生装置とを有することを特徴とする画像表示システム。
【請求項１２】
複数の再生装置とネットワークを介して接続されており、前記複数の再生装置とともに画像表示システムを構成する画像表示装置における画像表示方法であって、
前記複数の再生装置が保持する画像データの画像情報を取得する取得工程と、
前記取得工程において取得した画像情報に基づいて画像を表示する順序を決定する決定工程と、
前記決定工程において決定された順序に基づき、前記複数の再生装置のうちのいずれかとの通信を行うためのチャネルを確保する確保工程と、
前記確保工程において確保されたチャネルを用いて、画像データを前記再生装置から受信する受信工程と、
前記受信工程において受信した画像データに基づく画像を表示部に表示する表示工程とを有することを特徴とする画像表示方法。
【請求項１３】
複数の再生装置とネットワークを介して接続されており、前記複数の再生装置とともに画像表示システムを構成する画像表示装置においてコンピュータに実行させるプログラムであって、
前記複数の再生装置が保持する画像データの画像情報を取得する取得工程と、
前記取得工程において取得した画像情報に基づいて画像を表示する順序を決定する決定工程と、
前記決定工程において決定された順序に基づき、前記複数の再生装置のうちのいずれかとの通信を行うためのチャネルを確保する確保工程と、
前記確保工程において確保されたチャネルを用いて、画像データを前記再生装置から受信する受信工程と、
前記受信工程において受信した画像データに基づく画像を表示部に表示する表示工程とをコンピュータに実行させることを特徴とするプログラム。
【請求項１４】
請求項１３に記載のプログラムを記憶したことを特徴とするコンピュータ読み取り可能な記憶媒体。
【発明の詳細な説明】
【技術分野】
【０００１】
本発明は画像表示装置、画像表示システム、画像表示方法、プログラム及び記憶媒体に関し、特に、複数の再生装置が保持する画像を用いてスライドショーを行うために用いて好適な技術に関する。
【背景技術】
【０００２】
従来、デジタルカメラとテレビとを接続してスライドショーを表示する場合、テレビのビデオ入力端子を用いてデジタルカメラが所持している映像データを連続して再生している。このように、ネットワークを介してデジタルカメラが所持している映像データをテレビに送信することによってスライドショーを実現している。
【０００３】
一方、複数の端末から送信されたデータについてネットワークを介して取り扱う場合には、様々な工夫がなされている。例えば、特許文献１に記載のシステムでは、ネットワークに接続された複数の端末間で使用を予定している伝送帯域を予め集中管理装置に予約している。そして、予約情報のスケジュールに基づいてネットワークの回線状態を切り替えて端末の要求に応えるようにしている。
【０００４】
また、小規模で広帯域な無線ネットワーク（ＷＰＡＮ：Wireless Personal Area Network、個人用無線ネットワーク）として、IEEE802.15.3c等の規格が存在する。IEEE802.15.3cのネットワーク構成の概念図を図１７に示す。システムを構成する複数の機器が無線ネットワークに接続されて１つのピコネットを形成する。図１７に示すように、制御中心となる機器がピコネット上のＰＮＣ（Piconet Coordinator）となり、その他の機器がＤＥＶ（DEVICE）となる。
【０００５】
図１８は、図１７に示すネットワークの通信フレーム構造の概略を示す図である。
図１８に示すように、単位時間で通信フレームを構成し、その単位をスーパーフレーム（Super Frame）とする。スーパーフレームは、Beacon、ＣＡＰ（Contention Access Period）、及びＣＴＡＰ（Channel Time Allocation Period）の３つのパートから構成される。
【０００６】
Beaconは、ＰＮＣからＤＥＶに対してブロードキャストされて、Super Frameの同期と各種制御とを行うためのものである。ＣＡＰは、帯域が確保されていない通信スロットである。そして、ＣＡＰは、各ＤＥＶからＰＮＣに対するネットワークへの参加申請や、各ＤＥＶに割り当てられるタイムスロット（一定の時間間隔）情報を通達する管理フレーム、帯域が確保されないデータの伝送を行うためのものである。
【０００７】
ＣＴＡＰは、さらにＣＴＡ（Channel Time Allocation）に分割されたタイムスロットを各ＤＥＶに割り当てて、時分割多重通信（ＴＤＭＡ）による帯域確保されたデータの伝送を行うためのものである。すなわち、特許文献１に記載の技術では、ネットワークの持つ通信帯域をＣＡＰ及びＣＴＡにより自由に配分して、帯域保障通信及び非帯域保障通信を行うことができる。
【０００８】
【特許文献１】特開平５−６３７０５号公報
【発明の開示】
【発明が解決しようとする課題】
【０００９】
しかしながら、前述した従来の技術では、例えば複数の装置が有する画像群を同時に表示することはできない。したがって、ユーザが回線を繋ぎ換えて順番に画像群を表示する必要があった。
【００１０】
本発明は前述の問題点に鑑み、ネットワークに接続されている複数の装置が所持する画像群を用いたスライドショーを簡単に行うことができる画像表示システムを提供することを目的としている。
【課題を解決するための手段】
【００１１】
本発明の画像表示装置は、複数の再生装置とネットワークを介して接続されており、前記複数の再生装置とともに画像表示システムを構成する画像表示装置であって、前記複数の再生装置が保持する画像データの画像情報を取得する取得手段と、前記取得手段によって取得された画像情報に基づいて画像を表示する順序を決定する決定手段と、前記決定手段により決定された順序に基づき、前記複数の再生装置のうちのいずれかとの通信を行うためのチャネルを確保する確保手段と、前記確保手段により確保されたチャネルを用いて、画像データを前記再生装置から受信する受信手段と、前記受信手段によって受信された画像データに基づく画像を表示部に表示する表示手段とを有することを特徴とする。
【００１２】
本発明の画像表示システムは、前記画像表示装置と、前記複数の再生装置とを有することを特徴とする。
【００１３】
本発明の画像表示方法は、複数の再生装置とネットワークを介して接続されており、前記複数の再生装置とともに画像表示システムを構成する画像表示装置における画像表示方法であって、前記複数の再生装置が保持する画像データの画像情報を取得する取得工程と、前記取得工程において取得した画像情報に基づいて画像を表示する順序を決定する決定工程と、前記決定工程において決定された順序に基づき、前記複数の再生装置のうちのいずれかとの通信を行うためのチャネルを確保する確保工程と、前記確保工程において確保されたチャネルを用いて、画像データを前記再生装置から受信する受信工程と、前記受信工程において受信した画像データに基づく画像を表示部に表示する表示工程とを有することを特徴とする。
【００１４】
本発明のプログラムは、複数の再生装置とネットワークを介して接続されており、前記複数の再生装置とともに画像表示システムを構成する画像表示装置においてコンピュータに実行させるプログラムであって、前記複数の再生装置が保持する画像データの画像情報を取得する取得工程と、前記取得工程において取得した画像情報に基づいて画像を表示する順序を決定する決定工程と、前記決定工程において決定された順序に基づき、前記複数の再生装置のうちのいずれかとの通信を行うためのチャネルを確保する確保工程と、前記確保工程において確保されたチャネルを用いて、画像データを前記再生装置から受信する受信工程と、前記受信工程において受信した画像データに基づく画像を表示部に表示する表示工程とをコンピュータに実行させることを特徴とする。
【００１５】
本発明の記憶媒体は、前記に記載のプログラムを記憶したことを特徴とする。
【発明の効果】
【００１６】
本発明によれば、ネットワークに接続されている複数の装置が所持する画像群を用いたスライドショーを簡単に行うことができる。
【発明を実施するための最良の形態】
【００１７】
（第１の実施形態）
以下、本発明の実施形態について、図面を参照しながら説明する。
図１は、本実施形態における画像表示システムの一例を示す図である。
図１において、画像表示システムは、静止画データ及び動画データを格納する複数の再生機（第１の再生機１０２〜第４の再生機１０５）と、それらの画像をスライドショーにて表示する表示機１０１とから構成されている。
【００１８】
ここで再生機とは、再生機能を有する撮影機を含むものとする。具体的には、表示機１０１は例えばテレビが該当し、再生機能を有する撮影機はデジタルカメラやビデオカメラ等が該当する。また、表示機１０１と第１の再生機１０２〜第４の再生機１０５とは無線ネットワークによって接続されている。表示機１０１は通常テレビ表示状態となっているが、メニュー等の操作によってスライドショーの機能が選択されると、本実施形態における画像表示機能が起動する。
【００１９】
図２は、本実施形態に係る表示機１０１の構成例を示すブロック図である。以下、通常のテレビ表示状態における動作の概略について説明する。
図２において、デジタルチューナ５を介して受信された放送データをデコーダ６がデコードする。そして、ＤＭＡＣ（Direct Memory Access Controller）４がデコードされた放送データ（映像データ）を読み出して第１のフレームメモリ７に蓄積する。また、不図示のリモコンから送られた操作制御信号がリモコン受信部１０において受信され、ＣＰＵ１１に入力される。
【００２０】
ＣＰＵ１１は、入力された操作制御信号と、ＲＯＭ１２及びＲＡＭ１３に格納されているプログラム及びデータとに応じて、表示機１０１の機能を制御する。不図示のリモコンの操作によって画面上にメニューを表示する必要が生じた場合は、メニューのグラフィックスを描画してデータを第２のフレームメモリ１４に蓄積する。合成部８は、第１のフレームメモリ７に蓄積されている映像データを読み出すとともに、第２のフレームメモリ１４に格納されているメニューデータを読み出し、２つのデータを合成する。さらに、合成部８は、表示部９に合成された映像等を表示するように表示制御を行う機能を有している。
【００２１】
次に、無線ネットワークによってスライドショーを表示する場合の動作の概略について説明する。
無線部２は、アンテナ１を介して受信された電波を復調する。そして、ネットワークコントローラ３は、復調された信号を制御信号及び画像データに分離する。また、ネットワークコントローラ３はＣＰＵ１１の制御に従って無線ネットワークの状態を制御する。
【００２２】
ＣＰＵ１１は、分離された制御信号を読み出し、ＲＯＭ１２及びＲＡＭ１３に格納されているプログラム及びデータに応じて、表示機１０１の機能を制御する。一方、ＤＭＡＣ４は、分離された画像データを読み出し、第１のフレームメモリ７に蓄積する。なお、その他の制御についてはテレビ表示と同様である。なお、ネットワークコントローラ３及びＤＭＡＣ４は、詳細については後述するが、選択手段として機能する。
【００２３】
図３は、本実施形態に係る再生機２００の構成例を示すブロック図である。なお、第１の再生機１０２〜第４の再生機１０５は同様の構成であるため、これらを代表して再生機２００の構成について説明する。
図３において、エンコーダ５２は、撮像部５１において撮像された画像データを圧縮符号化する。そして、符号化された画像データをメモリカード等で構成される記憶部５３に蓄える。
【００２４】
ユーザの操作によって操作部５７から再生が指示された場合は、デコーダ５４は記憶部５３から画像データを読み出して画像データを展開する。出力部５５は、展開された画像データをビデオ信号に変換して外部に出力する。
【００２５】
一方、ネットワークを介して送信する場合は、ネットワークコントローラ５８は、展開された画像データを入力し、ネットワークパケットを生成する。そして、無線部５９は、生成されたネットワークパケットを変調してアンテナ６０を介して送出する。また、ＣＰＵ５６は、以上の動作の制御全般を行う。
【００２６】
本実施形態に用いる無線ネットワークは、特に種類を問わず適用が可能である。その中でも、特に、小規模で広帯域なネットワークが構成できるIEEE802.15.3c等のＷＰＡＮ（Wireless Personal Area Network、個人用無線ネットワーク）が好適である。
【００２７】
図４は、本実施形態の画像表示システムにおけるネットワーク構成の一例を示す概念図である。
図４に示すように、画像表示システムを構成する表示機（テレビ）及び再生機（カメラ、ビデオ）によって１つのピコネットを形成する。画像提示アプリケーションの制御中心となる表示機がピコネット上のＰＮＣ（Piconet Coordinator）となり、各再生機がＤＥＶ（DEVICE）となる。
【００２８】
図５は、図４に示したネットワークの通信フレームの概略を示す図である。
図５において、通信フレームは単位時間あたりでスーパーフレーム（Super Frame）５０が構成される。スーパーフレーム５０は、Beacon、ＣＡＰ（Contention Access Period）、及びＣＴＡＰ（Channel Time Allocation Period）の３つのパートから構成される。
【００２９】
本実施形態における映像信号の伝送フォーマットは、非圧縮ストリーム方式のフォーマットが好適である。再生機２００から表示機１０１へ映像の伝送を行う際には、非圧縮伝送が可能な帯域をＣＴＡに割り当てて、１対１に接続された帯域保障通信を行う。この状態は、有線のビデオケーブルが接続されている状態と同等の概念になる。また、ネットワーク全体の帯域に余裕がある場合は、異なるＣＴＡを割り当てて、第２、第３の接続を構成することも可能である。さらに、同時にＣＡＰのタイムスロットを用いて任意のＤＥＶ間で再生指示や状態通知などの双方向通信を行うことも可能である。本実施形態では、以上のように説明したＷＰＡＮ上で非圧縮ストリーム方式によって映像伝送システムを構成するものとして、以下の説明を行う。
【００３０】
次に、本実施形態の画像表示システムにおける表示機１０１の動作の詳細について説明する。図６は、本実施形態に係る表示機１０１によるピコネットの生成及びスライドショーの動作手順の一例を示すフローチャートである。
図６において、表示機１０１においてユーザの操作等によって、リモコン受信部１０が不図示のリモコンから画像表示（スライドショー）の操作制御信号を受信すると、処理を開始する。まず、ステップＳ１において、ネットワークコントローラ３は、通信用のピコネットを生成する。
【００３１】
次に、ステップＳ２において、ネットワークコントローラ３は、ピコネットの参加申請をチェックする。このチェックの結果、何らかのデバイス（ＤＥＶ）による参加申請がある場合は、ステップＳ３へ進む。一方、ステップＳ２のチェックの結果、参加申請がない場合は、ステップＳ９へ進む。
【００３２】
次に、ステップＳ３において、ＣＰＵ１１は、参加申請してきたデバイス（ＤＥＶ）に対して一旦参加を許可する。そして、ステップＳ４において、参加したデバイスにユニークなＩＤを割り当てて無線部２により機器情報を取得する。なお、機器情報の内容は、機種名や対応する画像再生解像度、本実施形態による画像表示システムへの対応可否、等である。
【００３３】
次に、ステップＳ５において、ＣＰＵ１１は、参加申請したデバイスが本実施形態による画像表示システムに対応しているかどうかをチェックする。このチェックの結果、本実施形態の画像表示システムに対応できないデバイスである場合は、ステップＳ６に進み、ＣＰＵ１１は、参加を解除してステップＳ２へ戻る。一方、ステップＳ５のチェックの結果、本実施形態の画像表示システムに対応可能なデバイスである場合は、ステップＳ７へ進む。
【００３４】
次に、ステップＳ７において、無線部２は、参加したデバイスが保持する画像リストを取得する。画像リストには、ファイル名など、画像データを識別するための情報が含まれる。そして、ステップＳ８において、ＣＰＵ１１は取得手段として機能し、無線部２が取得した画像リストのそれぞれの画像についてのメタデータ（画像情報）を取得する。ここでメタデータとは、例えば、撮影日、画像の回転情報、その他の撮影条件等の情報である。
【００３５】
一方、ステップＳ９においては、ユーザの操作によりリモコン受信部１０が不図示のリモコンからスライドショーを開始する指示を受けたか否かを判定する。もしくは、スライドショーを自動開始する所定の時間が経過したか否かを判定する。この判定の結果、スライドショーをまだ開始しない場合は、ステップＳ２へ戻り、デバイスの参加申請を引き続き待つ。一方、ステップＳ９の判定の結果、スライドショーを開始する場合は、ステップＳ１０へ進む。
【００３６】
図７は、結合された画像リストの一例を示す図である。
次に、ステップＳ１０において、ＣＰＵ１１は、図７で示すように、参加した複数のデバイスからステップＳ７で取得したそれぞれの第１の画像リスト２０１〜第４の画像リスト２０４をマージして１つの結合された画像リスト２１０を生成する。なお、本実施形態では、第１の再生機１０２〜第４の再生機１０５からそれぞれの第１の画像リスト２０１〜第４の画像リスト２０４を取得したものとして説明する。
【００３７】
次に、ステップＳ１１において、ＣＰＵ１１は決定手段として機能し、図７で示すように、結合された画像リスト２１０を撮影時刻の順序に並べ替えられた（ソートされた）画像リスト２１１を生成する。本実施形態では、ソートのキーとして撮影時刻を用いたが、取得した他のメタデータをキーにしてソートしてもよい。
【００３８】
以下の処理は、スライドショーとして順次画像を表示する手順である。
次に、ステップＳ１２において、ＣＰＵ１１は、ソートされた画像リスト２１１のメタデータから先頭の画像の情報を取得する。取得する情報の内容は、画像を保持しているデバイスのＩＤ及び再生する画像データのファイル名である。
【００３９】
次に、ステップＳ１３において、ネットワークコントローラ３は確保手段として機能し、画像を保持しているデバイスに対してピコネットのＣＴＡを割り当てて、映像の伝送チャネルを確保する。そして、ステップＳ１４において、無線部２は指示手段として機能し、画像を保持しているデバイスに対して割り当てた伝送チャネルへ画像の再生開始を指示する信号を送る。
【００４０】
次に、ステップＳ１５において、ＣＰＵ１１は、ＤＭＡＣ４の制御情報をスライドショー用の制御情報に変更する。そして、ＤＭＡＣ４は、割り当てた伝送チャネルでデバイスから受信した非圧縮の画像データを第１のフレームメモリ７に一旦蓄積する。そして、合成部８は、第１のフレームメモリ７に蓄積された画像データを表示部９に画像として表示する。
【００４１】
次に、ステップＳ１６において、ＣＰＵ１１は、ソートされた画像リスト２１１を参照し、表示部９に現在表示している映像が動画であるか静止画であるかを判定する。この判定の結果、動画である場合は、ステップＳ１７へ進み、動画の表示が終了するまで待機する。一方、ステップＳ１６の判定の結果、静止画である場合は、ステップＳ１８へ進み、予め設定している静止画の表示時間が経過するまで待機する。
【００４２】
次に、ステップＳ１９においてＣＰＵ１１は、ソートされた画像リスト２１１に含まれる画像を全て表示してスライドショーが終了したかどうかを判定する。この判定の結果、スライドショーが終了した場合は、ステップＳ２１へ進む。一方、ステップＳ１９の判定の結果、スライドショーがまだ終了していない場合は、ステップＳ２０へ進む。
【００４３】
そして、ステップＳ２０において、ＣＰＵ１１は、ソートされた画像リスト２１１のメタデータから次に表示する画像の情報を取得する。その後、ステップＳ１３へ戻り、画像の表示を繰り返す。一方、ステップＳ２１においては、ネットワークコントローラ３は、ステップＳ１で生成したピコネットを解消する。以上のような手順で表示機１０１におけるスライドショーが終了する。
【００４４】
次に、スライドショーに用いる画像を表示する時における詳細な制御の流れについて説明する。以下、表示例として、
（１）第４の再生機１０５であるCamera-Bが保持する静止画「IMG＿1035」
（２）第１の再生機１０２であるCamera-Aが保持する静止画「IMG＿1032」
（３）第１の再生機１０２であるCamera-Aが保持する静止画「IMG＿1033」
（４）第２の再生機１０３であるVideo-Aが保持する動画「CLIP＿013」
（５）第３の再生機１０４であるVideo-Bが保持する動画「CLIP＿009」
（６）第３の再生機１０４であるVideo-Bが保持する動画「CLIP＿010」
の順に表示してスライドショーを終了する場合を例に説明する。
【００４５】
図８は、本実施形態において、スライドショーの画像を表示する手順の一例を示すタイムチャートである。
まず、第４の再生機１０５であるCamera-Bが保持する静止画「IMG＿1035」をスライドショーに表示するシーケンスを開始する。
【００４６】
まず、ステップＴ１において、表示機１０１のネットワークコントローラ３は、第４の再生機１０５であるCamera-Bが映像を再生するための映像チャネル「CTA#1」をピコネット上のスーパーフレームに割り当てる。この時点でスーパーフレーム５０１は、図８に示すような状態になる。このステップＴ１は、図６のステップＳ１３に相当する。
【００４７】
次に、ステップＴ２において、割り当てた映像チャネル「CTA#1」に静止画「IMG＿1035」の再生を行うように、第４の再生機１０５であるCamera-Bに対して、無線部２より指示信号を送る。この指示は、スーパーフレームのＣＡＰ８０２に、図８に示すようなメッセージを流すことによってなされる。このステップＴ２は、図６のステップＳ１４に相当する。
【００４８】
一方、ステップＴ５１において、第４の再生機１０５であるCamera-Bは、再生する指示信号を、無線部５９を介して受信する。そして、デコーダ５４は、記憶部５３に記憶されている静止画「IMG＿1035」のデータを再生してデコードする。そして、割り当てられた映像チャネル「CTA#1」に対して、デコードされた非圧縮の静止画「IMG＿1035」のデータを無線部２よりネットワークパケットとして送信する。
【００４９】
次に、ステップＴ３において、ＣＰＵ１１は、ＤＭＡＣ４の制御情報をスライドショー用の制御情報に変更する。そして、ＤＭＡＣ４は、割り当てた映像チャネル「CTA#1」で無線部２を介して受信した静止画「IMG＿1035」のデータを第１のフレームメモリ７に一旦蓄積する。そして、合成部８は、静止画「IMG＿1035」を表示部９に表示する。この時点で表示部９には静止画「IMG＿1035」が表示される。このステップＴ３は、図６のステップＳ１５に相当する。
【００５０】
次に、ステップＴ４において、予め設定されていた静止画「IMG＿1035」の表示時間が経過するまで待機する。このステップＴ４は図６のステップＳ１８に相当する。そして、ステップＴ５において、ネットワークコントローラ３は、Camera-Aである第１の再生機１０２が映像を再生するための映像チャネル「CTA#2」をピコネット上のスーパーフレームに割り当てる。この時点でスーパーフレーム５０５は、図８に示すように伝送路が２本同時に確保された状態になる。このステップＴ５は、図６のステップＳ１３に相当する。
【００５１】
次に、ステップＴ６において、割り当てた映像チャネル「CTA#2」に静止画「IMG＿1032」の再生を行うように、第１の再生機１０２であるCamera-Aに対して、無線部２より指示信号を送る。この指示は、スーパーフレームのＣＡＰ８０６に、図８に示すようなメッセージを流すことによってなされる。このステップＴ６は図６のステップＳ１４に相当する。
【００５２】
一方、ステップＴ６１において、第１の再生機１０２であるCamera-Aは、再生する指示信号を、無線部５９を介して受信する。そして、デコーダ５４は、記憶部５３に記憶されている静止画「IMG＿1032」のデータを再生してデコードする。そして、割り当てられた映像チャネル「CTA#2」に対して、デコードされた非圧縮の静止画「IMG＿1032」のデータを無線部２よりネットワークパケットとして送信する。
【００５３】
次に、ステップＴ７において、ＣＰＵ１１は、ＤＭＡＣ４の制御情報を、割り当てた映像チャネル「CTA#2」用の制御情報に変更する。そして、ＤＭＡＣ４は、割り当てた映像チャネル「CTA#2」で無線部２を介して受信した静止画「IMG＿1032」のデータを第１のフレームメモリ７に一旦蓄積する。そして、合成部８は、静止画「IMG＿1032」を表示部９に表示する。この時点で表示部９には静止画「IMG＿1032」が表示される。このステップＴ７は図６のステップＳ１５に相当する。
【００５４】
次に、ステップＴ８において、ネットワークコントローラ３は、ステップＴ１で第４の再生機１０５であるCamera-Bに割り当てた映像チャネル「CTA#1」を開放する。この時点でスーパーフレーム５０８は、図８に示すような状態になる。これにより、ステップＴ５２において、映像チャネル「CTA#1」の開放を受けて第４の再生機１０５であるCamera-Bの接続が断たれることになる。
【００５５】
次に、ステップＴ９において、予め設定されていた静止画「IMG＿1032」の表示時間が経過するまで待機する。このステップＴ９は、図６のステップＳ１８に相当する。そして、ステップＴ１０において、割り当てた映像チャネル「CTA#2」に静止画「IMG＿1033」の再生を行うように、第１の再生機１０２であるCamera-Aに対して、無線部２より指示信号を送る。この指示は、スーパーフレームのＣＡＰ８１０に、図８に示すようなメッセージを流すことによりなされる。このステップＴ１０は、図６のステップＳ１４に相当する。
【００５６】
一方、ステップＴ６２において、第１の再生機１０２であるCamera-Aは、再生する指示信号を、無線部５９を介して受信する。そして、デコーダ５４は、記憶部５３に記憶されている静止画「IMG＿1033」のデータを再生してデコードする。そして、割り当てられた映像チャネル「CTA#2」に対して、デコードされた非圧縮の静止画「IMG＿1035」のデータを無線部２よりネットワークパケットとして送信する。
【００５７】
一方、表示機１０１側では、ＤＭＡＣ４は、割り当てた映像チャネル「CTA#2」で無線部２を介して受信した静止画「IMG＿1033」のデータを第１のフレームメモリ７に一旦蓄積する。そして、合成部８は、静止画「IMG＿1033」を表示部９に表示する。この時点で表示部９には静止画「IMG＿1033」が表示される。このように、先と同じ再生機による再生であるので、映像チャネルの割り当てや開放は伴わない。
【００５８】
次に、ステップＴ１１において、ネットワークコントローラ３は、第２の再生機１０３であるVideo-Aが映像を再生するための映像チャネル「CTA#1」をピコネット上のスーパーフレームに割り当てる。この時点でスーパーフレーム５１１は、図８に示すように伝送路が２本同時に確保された状態になる。このステップＴ１１は、図６のステップＳ１３に相当する。
【００５９】
次に、ステップＴ１２において、割り当てた映像チャネル「CTA#1」に動画「CLIP＿013」の再生を準備するための再生一時停止を行うように、第２の再生機１０３であるVideo-Aに対して、無線部２より指示信号を送る。この指示は、スーパーフレームのＣＡＰ８１２に、図８に示すようなメッセージを流すことによりなされる。
【００６０】
一方、ステップＴ７１において、第２の再生機１０３であるVideo-Aは、再生して一時停止する指示信号を、無線部５９を介して受信する。そして、デコーダ５４は、記憶部５３に記憶されている動画「CLIP＿013」の先頭フレームのみを再生してデコードし、一時停止状態とする。そして、割り当てられた映像チャネル「CTA#1」に対して、デコードされた動画「CLIP#013」の先頭フレームを無線部２よりネットワークパケットとして送信する。一方、表示機１０１側では、割り当てた映像チャネル「CTA#1」で無線部２を介して動画「CLIP＿013」の先頭フレームを受信する。
【００６１】
次に、ステップＴ１３において、予め設定されていた静止画「IMG＿1033」の表示時間が経過するまで待機する。なお、静止画「IMG＿1033」の表示時間が経過するまでは、受信した動画「CLIP＿013」の先頭フレームをＲＡＭ１３等に一時的に保存する。このステップＴ１３は、図６のステップＳ１８に相当する。
【００６２】
次に、ステップＴ１４において、ＣＰＵ１１は、ＤＭＡＣ４の制御情報を、割り当てた映像チャネル「CTA#1」用の制御情報に変更する。そして、ＤＭＡＣ４は、割り当てた映像チャネル「CTA#1」で受信した動画「CLIP＿013」の先頭フレームを第１のフレームメモリ７に一旦蓄積する。そして、合成部８は、動画「CLIP＿013」の先頭フレームを表示部９に表示する。この時点で表示部９には動画「CLIP＿013」の先頭フレームが表示される。このステップＴ１４は、図６のステップＳ１５に相当する。
【００６３】
次に、ステップＴ１５において、割り当てた映像チャネル「CTA#1」に一時停止している動画「CLIP＿013」の再生を再開するように、第２の再生機１０３であるVideo-Aに対して、無線部２より指示信号を送る。この指示は、スーパーフレームのＣＡＰ８１５に、図８に示すようなメッセージを流すことによりなされる。
【００６４】
一方、ステップＴ７２において、第２の再生機１０３であるVideo-Aは、再生を再開する指示信号を、無線部５９を介して受信する。そして、デコーダ５４は、記憶部５３に記憶されている動画「CLIP＿013」のデータの再生を再開してデコードする。そして、割り当てた映像チャネル「CTA#1」に対して、デコードされた非圧縮の動画「CLIP＿013」のデータを無線部２よりネットワークパケットとして送信する。
【００６５】
一方、表示機１０１側では、ＤＭＡＣ４は、割り当てた映像チャネル「CTA#1」で無線部２を介して受信した動画「CLIP＿013」のデータを第１のフレームメモリ７に一旦蓄積する。そして、合成部８は、動画「CLIP＿013」を表示部９に表示する。この時点で表示部９には動画「CLIP＿013」の表示が開始される。
【００６６】
次に、ステップＴ１６において、ネットワークコントローラ３は、ステップＴ５で第１の再生機１０２であるCamera-Aに割り当てた映像チャネル「CTA#2」を開放する。この時点でスーパーフレーム５１６は、図８に示すような状態になる。これにより、ステップＴ６３において、映像チャネル「CTA#2」の開放を受けて、第１の再生機１０２であるCamera-Aの接続が断たれることになる。
【００６７】
次に、ステップＴ１７において、ネットワークコントローラ３は、第３の再生機１０４であるVideo-Bが映像を再生するための映像チャネル「CTA#2」をピコネット上のスーパーフレームに割り当てる。この時点でスーパーフレーム５１７は、図８に示すように伝送路が２本同時に確保された状態になる。このステップＴ１７は、図６のステップＳ１３に相当する。
【００６８】
次に、ステップＴ１８において、割り当てた映像チャネル「CTA#2」に動画「CLIP＿009」の再生を準備するための再生一時停止を行うように、第３の再生機１０４であるVideo-Bに対して、無線部２を介して指示信号を送る。この指示は、スーパーフレームのＣＡＰ８１８に、図８に示すようなメッセージを流すことによりなされる。
【００６９】
一方、ステップＴ８１において、第３の再生機１０４であるVideo-Bは、再生して一時停止する指示信号を、無線部５９を介して受信する。そして、デコーダ５４は、記憶部５３に記憶されている動画「CLIP＿009」の先頭フレームのみを再生してデコードし、一時停止状態とする。そして、割り当てられた映像チャネル「CTA#2」に対して、デコードされた動画「CLIP＿009」の先頭フレームを無線部２よりネットワークパケットとして送信する。一方、表示機１０１側では、割り当てた映像チャネル「CTA#2」で無線部２を介して動画「CLIP＿009」の先頭フレームを受信する。
【００７０】
次に、ステップＴ７３において、第２の再生機１０３であるVideo-Aでは、動画「CLIP＿013」の再生が終了するまで待機する。また、表示機１０１でも、動画「CLIP＿013」の表示が終了するまで待機する。なお、動画「CLIP＿013」の表示が終了するまでは、受信した動画「CLIP＿009」の先頭フレームをＲＡＭ１３等に一時的に保存する。この表示機１０１が待機する処理ステップは、図６のステップＳ１７に相当する。
【００７１】
そして、ステップＴ７４において、第２の再生機１０３であるVideo-Aは、動画「CLIP＿013」の再生が終了したことを通知する信号を表示機１０１に無線部５９を介して送信する。この通知は、スーパーフレームのＣＡＰ８７４に、図８に示すようなメッセージを流すことによりなされる。
【００７２】
次に、ステップＴ１９において、ＣＰＵ１１は、ＤＭＡＣ４の制御情報を、割り当てた映像チャネル「CTA#2」用の制御情報に変更する。そして、ＤＭＡＣ４は、割り当てた映像チャネル「CTA#2」で受信した動画「CLIP＿009」の先頭フレームを第１のフレームメモリ７に一旦蓄積する。そして、合成部８は、動画「CLIP＿009」の先頭フレームを表示部９に表示する。この時点で表示部９には動画「CLIP＿009」の先頭フレームが表示される。このステップＴ１９は図６のステップＳ１５に相当する。
【００７３】
次に、ステップＴ２０において、割り当てた映像チャネル「CTA#2」に一時停止している動画「CLIP＿009」の再生を再開するように、第３の再生機１０４であるVideo-Bに対して、無線部２より指示信号を送る。この指示は、スーパーフレームのＣＡＰ８２０に、図８に示すようなメッセージを流すことによりなされる。
【００７４】
一方、ステップＴ８２において、第３の再生機１０４であるVideo-Bは、再生を再開する指示信号を、無線部５９を介して受信する。そして、デコーダ５４は、記憶部５３に記憶されている動画「CLIP＿009」のデータの再生を再開してデコードする。そして、割り当てた映像チャネル「CTA#2」に対して、デコードされた非圧縮の動画「CLIP＿009」のデータを無線部２よりネットワークパケットとして送信する。
【００７５】
一方、表示機１０１側では、ＤＭＡＣ４は、割り当てた映像チャネル「CTA#2」で無線部２を介して受信した動画「CLIP＿009」のデータを第１のフレームメモリ７に一旦蓄積する。そして、合成部８は、動画「CLIP＿009」を表示部９に表示する。この時点で表示部９には動画「CLIP＿009」の表示が開始される。
【００７６】
次に、ステップＴ２１において、第２の再生機１０３であるVideo-Aに割り当てた映像チャネル「CTA#1」を開放する。この時点でスーパーフレーム５２１は、図８に示すような状態になる。これにより、ステップＴ７５において、映像チャネル「CTA#1」の開放を受けて第２の再生機１０３であるVideo-Aの接続が断たれることになる。
【００７７】
次に、ステップＴ２２において、第３の再生機１０４であるVideo-Bに対して、連続して動画「CLIP＿010」を再生するように無線部２より指示信号を送る。この指示は、スーパーフレームのＣＡＰ８２２に、図８に示すようなメッセージを流すことによりなされる。
【００７８】
一方、ステップＴ８３において、第３の再生機１０４であるVideo-Bは、連続再生の指示信号を、無線部５９を介して受信する。そして、ＣＰＵ５６は、動画「CLIP＿010」を再生キューに登録する。
【００７９】
そして、ステップＴ８４において、第３の再生機１０４であるVideo-Bは、動画「CLIP＿009」の再生が終了するまで待機する。また、表示機１０１でも、動画「CLIP＿009」の表示が終了するまで待機する。この表示機１０１が待機する処理ステップは図６のステップＳ１７に相当する。
【００８０】
次に、ステップＴ８５において、動画「CLIP＿009」の再生が終了すると、デコーダ５４は、再生キューに登録した、記憶部５３に記憶されている動画「CLIP＿010」のデータの再生を開始してデコードする。そして、割り当てた映像チャネル「CTA#2」に対して、デコードされた非圧縮の動画「CLIP＿010」のデータを無線部２よりネットワークパケットとして送信する。
【００８１】
一方、表示機１０１側では、ＤＭＡＣ４は、割り当てた映像チャネル「CTA#2」で無線部２を介して受信した動画「CLIP＿010」のデータを第１のフレームメモリ７に一旦蓄積する。そして、合成部８は、動画「CLIP＿010」を表示部９に表示する。この時点で表示部９には動画「CLIP＿010」の表示が開始される。
【００８２】
そして、ステップＴ８６において、第３の再生機１０４であるVideo-Bは、動画「CLIP＿010」の再生が終了するまで待機する。また、表示機１０１でも、動画「CLIP＿010」の表示が終了するまで待機する。この表示機１０１が待機する処理ステップは、図６のステップＳ１７に相当する。
【００８３】
次に、ステップＴ８７において、動画「CLIP＿010」の再生が終了すると、第３の再生機１０４であるVideo-Bは、再生が終了したことを通知する信号を表示機１０１に無線部５９を介して送信する。この通知は、スーパーフレームのＣＡＰ８８７に、図８に示すようなメッセージを流すことによりなされる。
【００８４】
次に、ステップＴ２３において、合成部８は、スライドショーが完了した旨の表示を表示部９に表示する。この時点で表示部９にはスライドショーが完了した状態の画面が表示される。そして、ステップＴ２４において、ネットワークコントローラ３は、第３の再生機１０４であるVideo-Bに割り当てた映像チャネル「CTA#2」を開放する。この時点でスーパーフレーム５２４は、図８に示すような状態になる。以上のような手順により表示機１０１は、映像チャネルの割り当て、開放、及び再生の指示を繰り返してスライドショーの表示を行う。
【００８５】
本実施形態では、前述したように、映像を切り替える時に伝送路を２本同時に割り当てる。これにより、ノイズのないようにスムーズに画像を切り替えることが可能となる。また、動画を再生する時は、一時停止した画像を表示することなく画像を切り替えたり、クロスフェード等の視覚効果を追加したりすることも容易に実現可能である。
【００８６】
また、本実施形態では、伝送する映像フォーマットとして非圧縮ストリーム形式を用いたが、圧縮フォーマットを用いることも可能である。その場合は、第１の再生機１０２〜第４の再生機１０５にエンコーダ５２とは別に伝送用の映像エンコーダを付加し、表示機１０１にはそれらに対応したデコーダを搭載すればよい。その他の構成は、本実施形態と同様にして本発明を適用することが可能である。
【００８７】
また、再生機において、縦横回転再生機能を有しない場合を想定して、表示機１０１において縦横回転させるようにしてもよい。この場合、例えば、合成部８で表示する方向（縦／横）に合わせるように画像を回転させる機能を備えることにより実現が可能である。
【００８８】
以上のように本実施形態によれば、画像データを予め転送しておく必要がないので、スライドショーを開始する時に、バッファリングを不要にして迅速に再生を開始することが可能である。これにより、ユーザの利便性を向上させることが可能となる。また、それぞれの撮影データ形式に対応するデコーダが表示機１０１に不要となるので、幅広い画像データ形式に対して容易に対応できるとともに、コストを小さく抑えることが可能となる。
【００８９】
（第２の実施形態）
第１の実施形態では、映像を切り替える時に伝送路を２本同時に割り当てる例について説明した。一方、無線による伝送路の割り当て映像チャネルを１本分に制限する場合であっても、本発明を適用することが可能である。そこで本実施形態では、無線による伝送路の割り当て映像チャネルを１本分に制限する例について説明する。
【００９０】
図９は、本実施形態における表示機９０１の構成例を示すブロック図である。なお、ネットワーク構成及び再生機の構成については、第１の実施形態と同様である。
図９において、第３のフレームメモリ２１は第１のフレームメモリと同様に、ＤＭＡＣ４から送られてきた画像データを蓄積するためのものである。選択部３１は、第１のフレームメモリ７または第３のフレームメモリ２１のいずれかに蓄積された画像データを選択的に読み出すためのものである。
【００９１】
また、ＤＭＡＣ４が第１のフレームメモリ７及び第３のフレームメモリ２１に対する画像データの蓄積を停止した状態で、選択部３１が継続して画像データを読み出すことにより、画像の一時停止機能を有する。その他の構成は第１の実施形態と同様であるため、説明は省略する。
【００９２】
図１０は、本実施形態において、スライドショーにおける画像を表示する手順の一例を示すタイムチャートである。なお、表示機９０１によるピコネットの生成及びスライドショーの手順については図６と同様であるため、説明は省略する。
まず、ステップＴ１０１において、表示機９０１のネットワークコントローラ３は、第４の再生機１０５であるCamera-Bが映像を再生するための映像チャネル「CTA#1」をピコネット上のスーパーフレームに割り当てる。この時点でスーパーフレーム１５０１は、図１０に示すような状態になる。このステップＴ１０１は、図６のステップＳ１３に相当する。
【００９３】
次に、ステップＴ１０２において、割り当てた映像チャネル「CTA#1」に静止画「IMG＿1035」の再生を行うように、第４の再生機１０５であるCamera-Bに対して、無線部２より指示信号を送る。この指示は、スーパーフレームのＣＡＰ１８０２に、図１０に示すようなメッセージを流すことによりなされる。このステップＴ１０２は、図６のステップＳ１４に相当する。
【００９４】
一方、ステップＴ１５１において、第４の再生機１０５であるCamera-Bは、再生する指示信号を、無線部５９を介して受信する。そして、デコーダ５４は、記憶部５３に記憶されている静止画「IMG＿1035」のデータを再生してデコードする。そして、割り当てられた映像チャネル「CTA#1」に対して、デコードされた非圧縮の静止画「IMG＿1035」のデータを無線部２よりネットワークパケットとして送信する。
【００９５】
次に、ステップＴ１０３において、ＣＰＵ１１は、ＤＭＡＣ４の制御情報をスライドショー用の制御情報に変更する。そして、ＤＭＡＣ４は、割り当てた映像チャネル「CTA#1」で無線部２を介して受信した静止画「IMG＿1035」のデータを第１のフレームメモリ７に蓄積する。そして、ステップＴ１０４において、ＣＰＵ１１は、選択部３１の制御情報を第１のフレームメモリ７から読み出す制御情報に変更する。そして、合成部８は、第１のフレームメモリ７に蓄積された静止画「IMG＿1035」のデータを読み出し、表示部９に静止画「IMG＿1035」を表示する。この時点で表示部９には静止画「IMG＿1035」が表示される。このステップＴ１０３及びＴ１０４は、図６のステップＳ１５に相当する。
【００９６】
次に、ステップＴ１０５において、予め設定されていた静止画の表示時間が経過するまで待機する。このステップＴ１０５は、図６のステップＳ１８に相当する。そして、ステップＴ１０６において、ＣＰＵ１１は、ＤＭＡＣ４の制御情報を画像データの蓄積を一時停止する制御情報に変更する。そして、ＤＭＡＣ４は、割り当てられた映像チャネル「CTA#1」における第１のフレームメモリ７に対する映像の蓄積を一時停止する。この時点で表示部９の表示は静止画「IMG＿1035」に固定される。
【００９７】
次に、ステップＴ１０７において、ネットワークコントローラ３は、第４の再生機１０５であるCamera-Bに割り当てた映像チャネル「CTA#1」を開放する。これにより、ステップＴ１５２において、映像チャネル「CTA#1」の開放を受けて、第４の再生機１０５であるCamera-Bの接続が断たれることになる。
【００９８】
次に、ステップＴ１０８において、ネットワークコントローラ３は、第１の再生機１０２であるCamera-Aが映像を再生するための映像チャネル「CTA#1」をピコネット上のスーパーフレームに割り当てる。この時点でスーパーフレーム１５０８は、図１０に示すような状態になる。このステップＴ１０８は、図６のステップＳ１３に相当する。
【００９９】
次に、ステップＴ１０９において、割り当てた映像チャネル「CTA#1」に静止画「IMG＿1032」の再生を行うように、第１の再生機１０２であるCamera-Aに対して、無線部２より指示信号を送る。この指示は、スーパーフレームのＣＡＰ１８０９に、図１０に示すようなメッセージを流すことによりなされる。このステップＴ１０９は、図６のステップＳ１４に相当する。
【０１００】
一方、ステップＴ１６１において、第１の再生機１０２であるCamera-Aは、再生する指示信号を、無線部５９を介して受信する。そして、デコーダ５４は、記憶部５３に記憶されている静止画「IMG＿1032」のデータを再生してデコードする。そして、割り当てられた映像チャネル「CTA#1」に対して、デコードされた非圧縮の静止画「IMG＿1032」のデータを無線部２よりネットワークパケットとして送信する。
【０１０１】
次に、ステップＴ１１０において、ＣＰＵ１１は、ＤＭＡＣ４の制御情報を第３のフレームメモリ２１に蓄積する制御情報に変更する。そして、割り当てた映像チャネル「CTA#1」で受信した静止画「IMG＿1032」のデータを第３のフレームメモリ２１に蓄積する。そして、ステップＴ１１１において、ＣＰＵ１１は、選択部３１の制御情報を第３のフレームメモリ２１から読み出す制御情報に変更する。そして、合成部８は、第３のフレームメモリ２１に蓄積された静止画「IMG＿1032」のデータを読み出し、表示部９に静止画「IMG＿1032」を表示する。この時点で表示部９には静止画「IMG＿1032」が表示される。このステップＴ１１０及びＴ１１１は、図６のステップＳ１５に相当する。
【０１０２】
次に、ステップＴ１１２において、予め設定されていた静止画「IMG＿1032」の表示時間が経過するまで待機する。このステップＴ１１２は、図６のステップＳ１８に相当する。そして、ステップＴ１１３において、割り当てた映像チャネル「CTA#1」に静止画「IMG＿1033」の再生を行うように、第１の再生機１０２であるCamera-Aに対して、無線部２より指示信号を送る。この指示は、スーパーフレームのＣＡＰ１８１３に、図１０に示すようなメッセージを流すことによりなされる。このステップＴ１１３は、図６のステップＳ１４に相当する。
【０１０３】
一方、ステップＴ１６２において、第１の再生機１０２であるCamera-Aは、再生する指示信号を、無線部５９を介して受信する。そして、デコーダ５４は、記憶部５３に記憶されている静止画「IMG＿1033」のデータを再生してデコードする。そして、割り当てられた映像チャネル「CTA#1」に対して、デコードされた非圧縮の静止画「IMG＿1035」のデータを無線部２よりネットワークパケットとして送信する。
【０１０４】
一方、表示機９０１側では、ＤＭＡＣ４は、割り当てた映像チャネル「CTA#1」で無線部２を介して受信した静止画「IMG＿1033」のデータを第１のフレームメモリ７に一旦蓄積する。そして、合成部８は、静止画「IMG＿1033」を表示部９に表示する。この時点で表示部９には静止画「IMG＿1033」が表示される。このように、先と同じ再生機による再生であるので、映像チャネルの割り当てや開放は伴わない。
【０１０５】
次に、ステップＴ１１４において、予め設定されていた静止画の表示時間が経過するまで待機する。このステップＴ１１４は、図６のステップＳ１８に相当する。そして、ステップＴ１１５において、ＣＰＵ１１は、ＤＭＡＣ４の制御情報を画像データの蓄積を一時停止する制御情報に変更する。そして、ＤＭＡＣ４は、割り当てられた映像チャネル「CTA#1」における第２のフレームメモリ２１に対する映像の蓄積を一時停止する。この時点で表示部９の表示は静止画「IMG＿1035」に固定される。
【０１０６】
次に、ステップＴ１１６において、ネットワークコントローラ３は、第１の再生機１０２であるCamera-Aに割り当てた映像チャネル「CTA#1」を開放する。これにより、ステップＴ１５２において、映像チャネル「CTA#1」の開放を受けて、第１の再生機１０２であるCamera-Aの接続が断たれることになる。
【０１０７】
次に、ステップＴ１１７において、ネットワークコントローラ３は、第２の再生機１０３であるVideo-Aが映像を再生するための映像チャネル「CTA#1」をピコネット上のスーパーフレームに割り当てる。この時点でスーパーフレーム１５１７は、図１０に示すような状態になる。このステップＴ１１７は、図６のステップＳ１３に相当する。
【０１０８】
次に、ステップＴ１１８において、割り当てた映像チャネル「CTA#1」に動画「CLIP＿013」の再生を準備するための再生一時停止を行うように、第２の再生機１０３であるVideo-Aに対して、無線部２より指示信号を送る。この指示は、スーパーフレームのＣＡＰ１８１８に、図１０に示すようなメッセージを流すことによりなされる。
【０１０９】
次に、ステップＴ１７１において、第２の再生機１０３であるVideo-Aは、再生して一時停止する指示信号を、無線部５９を介して受信する。そして、デコーダ５４は、記憶部５３に記憶されている動画「CLIP＿013」の先頭フレームのみを再生してデコードし、一時停止状態とする。そして、割り当てられた映像チャネル「CTA#1」に対して、デコードされた動画「CLIP#013」の先頭フレームを無線部２よりネットワークパケットとして送信する。一方、表示機９０１側では、割り当てた映像チャネル「CTA#1」で無線部２を介して動画「CLIP＿013」の先頭フレームを受信する。
【０１１０】
次に、ステップＴ１１９において、ＣＰＵ１１は、ＤＭＡＣ４の制御情報を、第１のフレームメモリ７に蓄積する制御情報に変更する。そして、ＤＭＡＣ４は、割り当てた映像チャネル「CTA#1」で受信した動画「CLIP＿013」の先頭フレームを第１のフレームメモリ７に一旦蓄積する。そして、ステップＴ１２０において、ＣＰＵ１１は、選択部３１の制御情報を第１のフレームメモリ７から読み出す制御情報に変更する。そして、合成部８は、動画「CLIP＿013」の先頭フレームを表示部９に表示する。この時点で表示部９には動画「CLIP＿013」の先頭フレームが表示される。このステップＴ１１９及びＴ１２０は、図６のステップＳ１５に相当する。
【０１１１】
次に、ステップＴ１２１において、割り当てた映像チャネル「CTA#1」に一時停止している動画「CLIP＿013」の再生を再開するように、第２の再生機１０３であるVideo-Aに対して、無線部２より指示信号を送る。この指示は、スーパーフレームのＣＡＰ１８２１に、図１０に示すようなメッセージを流すことによりなされる。
【０１１２】
一方、ステップＴ１７２において、第２の再生機１０３であるVideo-Aは、再生を再開する指示信号を、無線部５９を介して受信する。そして、デコーダ５４は、記憶部５３に記憶されている動画「CLIP＿013」のデータの再生を再開してデコードする。そして、割り当てた映像チャネル「CTA#1」に対して、デコードされた非圧縮の動画「CLIP＿013」のデータを無線部２よりネットワークパケットとして送信する。
【０１１３】
一方、表示機９０１側では、ＤＭＡＣ４は、割り当てた映像チャネル「CTA#1」で無線部２を介して受信した動画「CLIP＿013」のデータを第１のフレームメモリ７に一旦蓄積する。そして、合成部８は、動画「CLIP＿013」を表示部９に表示する。この時点で表示部９には動画「CLIP＿013」の表示が開始される。
【０１１４】
次に、ステップＴ１７３において、第２の再生機１０３であるVideo-Aでは、動画「CLIP＿013」の再生が終了するまで待機する。また、表示機９０１でも、動画「CLIP＿013」の表示が終了するまで待機する。この表示機９０１が待機する処理ステップは、図６のステップＳ１７に相当する。
【０１１５】
そして、ステップＴ１７４において、第２の再生機１０３であるVideo-Aは、動画「CLIP＿013」の再生が終了したことを通知する信号を表示機９０１に無線部５９を介して送信する。この通知は、スーパーフレームのＣＡＰ１８７４に、図１０に示すようなメッセージを流すことによりなされる。
【０１１６】
次に、ステップＴ１２２において、ＣＰＵ１１は、ＤＭＡＣ４の制御情報を画像データの蓄積を一時停止する制御情報に変更する。そして、ＤＭＡＣ４は、割り当てられた映像チャネル「CTA#1」における第１のフレームメモリ７に対する映像の蓄積を一時停止する。この時点で表示部９の表示は動画「CLIP＿013」で固定される。
【０１１７】
次に、ステップＴ１２３において、第２の再生機１０３であるVideo-Aに割り当てた映像チャネル「CTA#1」を開放する。これにより、ステップＴ１７５において、映像チャネル「CTA#1」の開放を受けて第２の再生機１０３であるVideo-Aの接続が断たれることになる。
【０１１８】
次に、ステップＴ１２４において、ネットワークコントローラ３は、第３の再生機１０４であるVideo-Bが映像を再生するための映像チャネル「CTA#1」をピコネット上のスーパーフレームに割り当てる。この時点でスーパーフレーム１５２４は、図１０に示すような状態になる。このステップＴ１２４は、図６のステップＳ１３に相当する。
【０１１９】
次に、ステップＴ１２５において、割り当てた映像チャネル「CTA#1」に動画「CLIP＿009」の再生を準備するための再生一時停止を行うように、第３の再生機１０４であるVideo-Bに対して、無線部２を介して指示信号を送る。この指示は、スーパーフレームのＣＡＰ１８２５に、図１０に示すようなメッセージを流すことによりなされる。
【０１２０】
一方、ステップＴ１８１において、第３の再生機１０４であるVideo-Bは、再生して一時停止する指示信号を、無線部５９を介して受信する。そして、デコーダ５４は、記憶部５３に記憶されている動画「CLIP＿009」の先頭フレームのみを再生してデコードし、一時停止状態とする。そして、割り当てられた映像チャネル「CTA#1」に対して、デコードされた動画「CLIP＿009」の先頭フレームを無線部２よりネットワークパケットとして送信する。
【０１２１】
次に、ステップＴ１２６において、ＣＰＵ１１は、ＤＭＡＣ４の制御情報を第３のフレームメモリ２１に蓄積する制御情報に、変更する。そして、ＤＭＡＣ４は、割り当てた映像チャネル「CTA#1」で受信した動画「CLIP＿009」の先頭フレームを第３のフレームメモリ２１に一旦蓄積する。そして、ステップＴ１２７において、ＣＰＵ１１は、選択部３１の制御情報を第３のフレームメモリ２１から読み出す制御情報に変更する。そして、合成部８は、動画「CLIP＿009」の先頭フレームを表示部９に表示する。この時点で表示部９には動画「CLIP＿009」の先頭フレームが表示される。このステップＴ１２６及びＴ１２７は図６のステップＳ１５に相当する。
【０１２２】
次に、ステップＴ１２８において、割り当てた映像チャネル「CTA#1」に一時停止している動画「CLIP＿009」の再生を再開するように、第３の再生機１０４であるVideo-Bに対して、無線部２より指示信号を送る。この指示は、スーパーフレームのＣＡＰ１８２８に、図１０に示すようなメッセージを流すことによりなされる。
【０１２３】
一方、ステップＴ１８２において、第３の再生機１０４であるVideo-Bは、再生を再開する指示信号を、無線部５９を介して受信する。そして、デコーダ５４は、記憶部５３に記憶されている動画「CLIP＿009」のデータの再生を再開してデコードする。そして、割り当てた映像チャネル「CTA#1」に対して、デコードされた非圧縮の動画「CLIP＿009」のデータを無線部２よりネットワークパケットとして送信する。
【０１２４】
一方、表示機９０１側では、ＤＭＡＣ４は、割り当てた映像チャネル「CTA#1」で無線部２を介して受信した動画「CLIP＿009」のデータを第３のフレームメモリ２１に一旦蓄積する。そして、合成部８は、動画「CLIP＿009」を表示部９に表示する。この時点で表示部９には動画「CLIP＿009」の表示が開始される。
【０１２５】
次に、ステップＴ１２９において、第３の再生機１０４であるVideo-Bに対して、連続して動画「CLIP＿010」を再生するように無線部２より指示信号を送る。この指示は、スーパーフレームのＣＡＰ１８２９に、図１０に示すようなメッセージを流すことによりなされる。
【０１２６】
一方、ステップＴ１８３において、第３の再生機１０４であるVideo-Bは、連続再生の指示信号を、無線部５９を介して受信する。そして、ＣＰＵ５６は、動画「CLIP＿010」を再生キューに登録する。
【０１２７】
そして、ステップＴ１８４において、第３の再生機１０４であるVideo-Bは、動画「CLIP＿009」の再生が終了するまで待機する。また、表示機９０１でも、動画「CLIP＿009」の表示が終了するまで待機する。この表示機９０１が待機する処理ステップは図６のステップＳ１７に相当する。
【０１２８】
次に、ステップＴ１８５において、動画「CLIP＿009」の再生が終了すると、デコーダ５４は、再生キューに登録した、記憶部５３に記憶されている動画「CLIP＿010」のデータの再生を開始してデコードする。そして、割り当てた映像チャネル「CTA#1」に対して、デコードされた非圧縮の動画「CLIP＿010」のデータを無線部２よりネットワークパケットとして送信する。
【０１２９】
一方、表示機９０１側では、ＤＭＡＣ４は、割り当てた映像チャネル「CTA#1」で無線部２を介して受信した動画「CLIP＿010」のデータを第３のフレームメモリ２１に一旦蓄積する。そして、合成部８は、動画「CLIP＿010」を表示部９に表示する。この時点で表示部９には動画「CLIP＿010」の表示が開始される。
【０１３０】
そして、ステップＴ１８６において、第３の再生機１０４であるVideo-Bは、動画「CLIP＿010」の再生が終了するまで待機する。また、表示機９０１でも、動画「CLIP＿010」の表示が終了するまで待機する。この表示機９０１が待機する処理ステップは、図６のステップＳ１７に相当する。
【０１３１】
次に、ステップＴ１８７において、動画「CLIP＿010」の再生が終了すると、第３の再生機１０４であるVideo-Bは、再生が終了したことを通知する信号を表示機９０１に無線部５９を介して送信する。この通知は、スーパーフレームのＣＡＰ１８８７に、図１０に示すようなメッセージを流すことによりなされる。
【０１３２】
次に、ステップＴ１３０において、合成部８は、スライドショーが完了した旨の表示を表示部９に表示する。この時点で表示部９にはスライドショーが完了した状態の画面が表示される。以上のような手順により表示機９０１は、フレームメモリの切り替え、蓄積の一時停止、及び再生の指示を繰り返してスライドショーの表示を行う。
【０１３３】
また、本実施形態では、伝送する映像フォーマットとして非圧縮ストリーム形式を用いたが、圧縮フォーマットを用いることも可能である。その場合は、第１の再生機１０２〜第４の再生機１０５にエンコーダ５２とは別に伝送用映像エンコーダを付加し、表示機１０１にはそれらに対応したデコーダを搭載すればよい。その他の構成は、本実施形態と同様にして本発明を適用することが可能である。
【０１３４】
また、再生機において、縦横回転再生機能を有しない場合を想定して、表示機１０１において縦横回転させるようにしてもよい。この場合、例えば、合成部８で表示する方向（縦／横）に合わせるように画像を回転させる機能を備えることにより実現が可能である。
【０１３５】
以上のように本実施形態においては、表示機９０１にフレームメモリを２つ設けることによって、１本の伝送路のみでチャネルを割り当てて実施することが可能とある。このように本実施形態では、無線ネットワークの帯域を削減することが可能となる。
【０１３６】
（第３の実施形態）
本実施形態では、表示機が取得した撮影情報に含まれるメタデータを利用して、表示機と再生機とが連携して画像の表示画質を向上させる例について説明する。なお、本実施形態のネットワーク構成等は第１の実施形態と同様であるため、第１の実施形態と異なる点についてのみ説明する。
【０１３７】
図１１及び図１２は、本実施形態における画質向上方法の一例を示す概念図である。
人間が知覚することが可能な色域９１と撮像可能な色域（不図示）とは異なっており、再生機が保持する画像が、例えば、第１の色域９２をもつ色空間で保存されているものとする。また、表示機でも表示可能な固有の第２の色域９４をもっているものとする。一般的には、第１の色域９２と第２の色域９４とは同じではないことが多い。
【０１３８】
一方、ビデオ信号の伝送においては、多様な機器が持つ固有の色域によらず表示される映像の互換性を持たせるために、映像信号は、例えば、共通色域９３を持つ伝送規格色空間で規定されている。この色空間の共通色域９３は標準的な機器で広く対応できるようにしているため、一般的にはあまり領域が広くない。
【０１３９】
以上のような技術背景により、再生機が保持する画像を表示機において表示する場合には、画像データの色空間を映像規格の色空間に変換して伝送する。この過程で画像データが持つ色域は第１の色域９２から共通色域９３へ縮小される。表示機では受信した画像データを、第２の色域９４を持つ表示機１０１の色空間に変換して表示する。しかし、一度縮小された色域は再変換しても広い色域に戻すことができないため、表示機１０１で表示される画像は伝送規格色空間の持つ共通色域９３と同じ広さの第３の色域９５で表示される。
【０１４０】
そこで本実施形態においては、再生機からは本来の色空間による画像の再生を行い、映像規格の色空間への変換を伴わずに、直接、表示機の色空間に変換することにより、第４の色域９６で示されるように広色域で表示することを提供する。
【０１４１】
具体的には、図６のフローチャートにおいて、以下の手順によって表示色域を拡大する。
図６のステップＳ８においては、再生機２００が保持している画像のメタデータとして、保存されている色空間情報も同時に取得する。
【０１４２】
また、ステップＳ１４においては、画像の本来の色空間で再生を行うように再生機２００に指示する。そして、ステップＳ１５においては、予め取得した色空間情報に基づいた画像処理を行った上で画像を表示する。その他については第１のまたは第２の実施形態と同様の手順によって広色域表示による画質向上をもたらすことが可能となる。具体的には、例えば、表示機１０１に色空間変換部を設け、入力された画像データを一度、色空間変換部を経由して表示部９に画像を表示する。
【０１４３】
本実施形態では、画像に付随するメタデータとして色空間情報を利用する例について詳細に説明したが、その他の特性の情報についても同様にして本発明を適用することが可能である。例えば、撮影時における撮像方向（縦／横）に応じて自動的に画像の回転操作を行う場合でも本実施形態と同様の手順によってユーザの利便性を向上させることが可能である。
【０１４４】
具体的には、ステップＳ８において、表示機１０１が、まず、画像に付随するメタデータとして撮像時における撮像方向の情報を取得する。そして、ステップＳ１４において、表示機１０１で表示する方向（縦／横）に合わせるように再生機で再生するように指示する。また、画像のサイズや動画のフレームレート等が異なる画像を同時に扱う場合においても、表示機１０１で表示するサイズやフレームレートに合わせて再生するように指示すればよい。
【０１４５】
（第４の実施形態）
第１及び第２の実施形態では、表示部９に表示する画像が１枚である例について説明したが、本実施形態では、画像の表示形態として複数の画像を同時に表示する場合の例について説明する。
【０１４６】
図１３は、本実施形態における表示機１３０１の構成例を示すブロック図である。なお、ネットワーク構成及び再生機の構成については、第１の実施形態と同様である。
図１３において、第４のフレームメモリ２２及び第５のフレームメモリ２３は、第１のフレームメモリ７と同様に、ＤＭＡＣ４から送られてきた画像データを蓄積するためのものである。レイアウト合成部３２は、任意のフレームメモリからの画像を同時に読み出して出力画面にレイアウトの合成を行い、合成した画像を表示部９に表示する制御を行う。
【０１４７】
解像度変換部３３は、ネットワークコントローラ３もしくはデコーダ６から出力された画像データを、ＤＭＡＣ４を経由して受け取り、拡大もしくは縮小を行う。ＤＭＡＣ４は、拡大もしくは縮小された画像データを解像度変換部３３から受け取り、第１のフレームメモリ７、第３のフレームメモリ２１〜第５のフレームメモリ２３に蓄積する。なお、その他の構成については第２の実施形態と同様であるため、説明は省略する。
【０１４８】
図１４は、入力された画像を全画面表示する場合の動作例を示す概念図である。
例えば、１９２０×１０８０画素の解像度の画像「CLIP＿014」に対しては、解像度変換部３３において１倍の解像度変換を行う。その後、レイアウト合成部３２においてレイアウト１４０２を図１４に示すように全画面表示する。なお、この時のスーパーフレーム１４０１は、図１４に示すような状態である。
【０１４９】
図１５は、入力された画像を縮小して画面の一部に表示する場合の動作例を示す概念図である。
例えば、１２８０×７２０画素の解像度の画像「CLIP＿014」に対しては、解像度変換部３３において３／４倍の解像度変換を行う。その後、レイアウト合成部３２において、画面上に適宜配置したレイアウト１５０２を、図１５に示すように、１９２０×１０８０画素の画面において９６０×５４０画素のウインドウとして表示する。なお、この時のスーパーフレーム１５１１は、図１５に示すような状態である。
【０１５０】
本実施形態では、解像度変換部３３を経由するので、最終的なレイアウトによらず、再生機において再生する画像データがどのような解像度であっても対応が可能である。ただし、画質の劣化を考慮すると、再生機から出力される画像データは、レイアウトとして出力されるウインドウサイズよりも大きい画像サイズであることが望ましい。
【０１５１】
一方、再生機によっては標準的な解像度しかサポートしない場合もある。この場合、再生機側において映像規格で定められる標準解像度を選択するように表示機側から指示することが望ましい。さらに、映像伝送路の帯域を削減することも考慮すると、結論として所望のウインドウサイズよりも大きい標準解像度のうち、最小サイズの解像度を再生機側で選択するように表示機側から指示することが最も好ましい。
【０１５２】
図１６は、複数の画像データを入力して、画面上に２つの画像を同時に表示する場合の動作例を示す概念図である。
例えば、１２８０×７２０画素の解像度の画像「CLIP＿014」が９６０×５４０画素に解像度変換され、７２０×４８０画素の解像度の画像「CLIP＿009」が６４０×３６０画素に解像度変換されたものとする。その後、レイアウト合成部３２において、画面上に適宜配置されたレイアウト１６０２を作成する。図１６に示すように、１９２０×１０８０画素の画面中において、９６０×５４０画素のウインドウと６４０×３６０画素のウインドウとが表示される。その他、画像を表示する全体的な処理の流れは第２の実施形態と同様であるため、説明は省略する。
【０１５３】
以上のように本実施形態によれば、受信した画像データの解像度を変換して、複数の画像を同時に表示することができる。また、本実施形態では、再生機の出力解像度が標準解像度である場合について説明した。しかし、再生機に自由な倍率で解像度変換を行う機能が備わっている場合には、表示機側から最終的に表示する解像度を再生機に指示し、再生機側でその解像度に変換して画像データを伝送することも可能である。この場合には、解像度変換を行う回数が少なくなるので、スライドショーで高画質な画像を表示することが可能となる。
【０１５４】
（本発明に係る他の実施形態）
前述した本発明の実施形態における画像表示装置を構成する各手段、並びに画像表示方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【０１５５】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【０１５６】
なお、本発明は、前述した実施形態の機能を実現するソフトウェアのプログラム（実施形態では図６に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【０１５７】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１５８】
その場合、プログラムの機能を有していれば、オブジェクトコード、インタプリタにより実行されるプログラム、ＯＳに供給するスクリプトデータ等の形態であってもよい。
【０１５９】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【０１６０】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【０１６１】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１６２】
また、その他の方法として、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１６３】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【０１６４】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【０１６５】
【図１】本発明の第１の実施形態における画像表示システムの構成例を示す図である。
【図２】本発明の第１の実施形態における表示機の構成例を示すブロック図である。
【図３】本発明の第１の実施形態における再生機の構成例を示すブロック図である。
【図４】本発明の第１の実施形態の画像表示システムにおけるネットワーク構成の一例を示す概念図である。
【図５】本発明の第１の実施形態におけるネットワークの通信フレーム構造の概略を示す概念図である。
【図６】本発明の第１の実施形態に係る表示機によるピコネットの生成及びスライドショーの動作手順の一例を示すフローチャートである。
【図７】本発明の第１の実施形態において、結合された画像リストの一例を示す図である。
【図８】本発明の第１の実施形態において、スライドショーの画像を表示する手順の一例を示すタイムチャートである。
【図９】本発明の第２の実施形態における表示機の構成例を示すブロック図である。
【図１０】本発明の第２の実施形態において、スライドショーの画像を表示する手順の一例を示すタイムチャートである。
【図１１】従来の映像伝送における色域の変化を示す概念図である。
【図１２】本発明の第３の実施形態による映像伝送における色域の変化を示す概念図である。
【図１３】本発明の第４の実施形態における表示機の構成例を示すブロック図である。
【図１４】本発明の第４の実施形態において、入力された画像を全画面表示する場合の動作例を示す概念図である。
【図１５】本発明の第４の実施形態において、入力された画像を縮小して画面の一部に表示する場合の動作例を示す概念図である。
【図１６】本発明の第４の実施形態において、複数の画像データを入力して、画面上に２つの画像を同時に表示する場合の動作例を示す概念図である。
【図１７】ネットワーク構成の一例を示す概念図である。
【図１８】図１７に示すネットワークの通信フレーム構造の概略を示す概念図である。
【符号の説明】
【０１６６】
１  アンテナ
２  無線部
３  ネットワークコントローラ
４  ＤＭＡＣ
５  デジタルチューナ
６  デコーダ
７  第１のフレームメモリ
８  合成部
９  表示部
１０  リモコン受信部
１１  ＣＰＵ
１２  ＲＯＭ
１３  ＲＡＭ
１４  第２のフレームメモリ
５１  撮像部
５２  エンコーダ
５３  記憶部
５４  デコーダ
５５  出力部
５６  ＣＰＵ
５７  操作部
５８  ネットワークコントローラ
５９  無線部
６０  アンテナ
１０１  表示機
１０２  第１の再生機
１０３  第２の再生機
１０４  第３の再生機
１０５  第４の再生機
【図１】
2010085748.tif 000003
【図２】
2010085748.tif 000004
【図３】
2010085748.tif 000005
【図４】
2010085748.tif 000006
【図５】
2010085748.tif 000007
【図６】
2010085748.tif 000008
【図７】
2010085748.tif 000009
【図８】
2010085748.tif 000010
【図９】
2010085748.tif 000011
【図１０】
2010085748.tif 000012
【図１１】
2010085748.tif 000013
【図１２】
2010085748.tif 000014
【図１３】
2010085748.tif 000015
【図１４】
2010085748.tif 000016
【図１５】
2010085748.tif 000017
【図１６】
2010085748.tif 000018
【図１７】
2010085748.tif 000019
【図１８】
2010085748.tif 000020